(57)【要約】【課題】電子機器に接続されたケーブルが、ロッカー前面にて引き回されることがなく、他の電子機器の操作の妨げになることがない。【解決手段】ロッカー本体の左右側板の前端に、側板を内側に折り返して形成した枠部３を設けると共に、枠部３の後部となる側板内壁に電子機器を固定するための支持枠４を取り付けた。枠部３と支持枠４との間に、ケーブル１１を挿入可能な隙間Ａを設け、この隙間Ａから枠部３の内側に形成した空間にケーブル１１を収納した。隙間Ａは、枠部３にネジ止めされる閉塞板１２により閉塞し、閉塞板１２に切り欠き１３を設けてケーブル１１を切り欠き１３から引き出した。【選択図】  図４
2004349656.tif 000002
【特許請求の範囲】
【請求項１】
箱状本体の左右側部前端に、側板を内側に折り返して形成した縦長の枠部を有し、当該枠部の後部となる前記側板の内壁に、収納する電子機器を支持するための支持枠を前記枠部に平行に設けて成る電子機器収納用ロッカーであって、
前記枠部と支持枠との間にケーブルを挿通可能な隙間を設け、前記隙間から前記枠部の内側に形成された空間にケーブルを収納可能としたことを特徴とする電子機器収納用ロッカー。
【請求項２】
前記隙間は、着脱可能な閉塞板により少なくとも一部が閉塞されて成ることを特徴とする請求項１記載の電子機器収納用ロッカー。
【請求項３】
前記閉塞板は、ケーブルを挿通可能な切り欠きを有することを特徴とする請求項２記載の電子機器収納用ロッカー。
【発明の詳細な説明】
【０００１】
【発明の属する技術分野】
本発明は、電子機器を収納する電子機器収納用ロッカーに関し、特に収納した電子機器に接続されたケーブルの収容部を設けた電子機器収納用ロッカーに関する。
【０００２】
【従来の技術】
電子機器収納用ロッカーは、左右側板及び背板、天板を有する箱体として形成され、電子機器が上下に配置され収納される構成が広く採用され、前面には扉が設けられている（例えば、特許文献１参照）。そして、収納された電子機器に接続されたケーブルは、ロッカーの上方或いは下方からロッカー外部に引き出される。
このような電子機器収納用ロッカーの１つに、例えば図６に示すような本体形状のものがある。図６は電子機器収納用ロッカー本体の横端面であり、２１は側板、２２は背板、２３は電子機器であり、図示下方が前面となる。この場合、図示するように、側板２１の前端部には側板２１を延長して内側に折り曲げて筒状に形成した枠部２４が形成されていた。尚、前面を閉塞する扉は省略してある。
【０００３】
【特許文献１】
特開２００１−２１０９７９号公報
【０００４】
【発明が解決しようとする課題】
このような電子機器収納用ロッカーに収納された電子機器は、ケーブル接続作業がし易いように、ケーブル接続端子は電子機器筐体の前面に配置されている。そのため、ケーブルは、ロッカー内の機器前面に露出し、引き回されることになり、ケーブルが多くなるとロッカー前面を覆うように配線される。そのため、ケーブルは適宜部位で結束部材で束ねられたりしてロッカー壁面等に固定されるが、ケーブルが電子機器の前面で引き回される状態に変わりはなかった。
特にサーバ等の通信関連機器は、接続するケーブル数も多く、ロッカー上部に収納された電子機器に接続したケーブルが垂れ下がったり、余長分が下部の電子機器の前面を覆ったりして、下部に収納した電子機器の操作の妨げになっていた。また、多数のケーブルが機器の前面で引き回されるため、誤配線の原因になったり、扉を開けた際の美観の点からも好ましいものではなかった。
【０００５】
本発明はこのような点を鑑み、図６に示すような前面側左右側部に筒状の枠部を備えた電子機器収納用ロッカーに着目して問題の解決を図ったもので、電子機器に接続されたケーブルがロッカー前面にて引き回されることがなく、他の電子機器の操作の妨げになることがない電子機器収納用ロッカーを提供することを目的とする。
【０００６】
【課題を解決するための手段】
上記課題を解決するため、請求項１の発明は、箱状本体の左右側部前端に、側板を内側に折り返して形成した縦長の枠部を有し、枠部の後部となる側板の内壁に、収納する電子機器を支持するための支持枠を枠部に平行に設けて成る電子機器収納用ロッカーであって、枠部と支持枠との間にケーブルを挿通可能な隙間を設け、隙間から枠部の内側に形成された空間にケーブルを収納可能としたことを特徴とする。
この構成により、電子機器の左右前方に配置される枠部の内部空間にケーブルを収容するので、ケーブルが機器前面で引き回されて電子機器の操作が妨げられるようなことがなくなる。また、隙間を上下に亘り設けることで、ケーブルは収納された電子機器の左右から最短距離でスムーズに引き出しすることが可能となり、電子機器に接続されたケーブルを結束部材により結束する必要も無くなる。更に、枠部を利用することで別途ケーブル収容部を設けることなく、ロッカー内空間を有効に利用してケーブルの収容ができる。
【０００７】
請求項２の発明は、請求項１の発明において、ケーブル挿通可能な隙間は、着脱可能な閉塞板により少なくとも一部が閉塞されて成ることを特徴とする。
この構成により、ケーブルの挿通に使用しない隙間は閉塞できるので、収容したケーブルが露出することがない。また、閉塞板によりケーブル引き出し位置を固定できるので、結束部材を用いることなくケーブルを固定でき、美観も向上する。
【０００８】
請求項３の発明は、請求項２の発明において、閉塞板は、ケーブルを挿通可能な切り欠きを有することを特徴とする。
このように閉塞板に切り欠きを設けることで、隙間を全て閉塞してもケーブルを引き出すことができ、美観が更に向上する。
【０００９】
【発明の実施の形態】
以下、本発明を具体化した実施の形態を、図面に基づいて詳細に説明する。図１は本発明に係る電子機器収納用ロッカー（以下、単にロッカーと称する。）の一例を示す箱状本体の横端面図であり、ロッカーは、側板１、背板２、そして図示しない扉、地枠、天板等を有し、３は枠部、４は支持枠、５は支持枠４に連結されて収納する電子機器をネジ止めして連結する連結板、そして６は収納した電子機器を示している。なお、電子機器６はラックマウント型であって、前面の左右端部にラック取り付け用の取付片７が設けられ、この取付片７が連結板５にボルト８により固定されて収納されている。
【００１０】
枠部３は、前方へ延設した側板１を内側にコ字状に折り返して形成され、平坦な前面３ａ及び内側面３ｂを有し、背部は開放して形成されている。また、支持枠４は、図２の分解図に示すように、横断面コ字状に形成された枠材で形成され、側板１に組み付けられている。具体的には、支持枠４をねじ止めする為のアングル材１０が、側板１の内壁に枠部３に平行に溶接して設けられ、そのアングル材１０に支持枠４の開放面を側板１に向けて配置して、アングル材１０にねじ止め固定して支持枠４は組み付けられている。
そして、枠部３と支持枠４の間に略４ｃｍの隙間Ａが形成されるよう支持枠４が配置されている。尚、隙間Ａはケーブルの挿通がし易く、且つ収容したケーブルが飛び出し難い幅が良く、２〜５ｃｍが好ましい。また、図１の枠部３内に示す点線枠は、ケーブル収容部Ｂを示している。
【００１１】
連結板５は、支持枠４に取り付けるための取付面５ａを有し、その前端に電子機器６の取付片７を連結する為のラック片５ｂが設けられている。また、後方には収納する電子機器６の挿入操作を案内するための案内片５ｃが延設されている。こうして形成された連結板５は、取付面５ａにネジ挿通孔を設けると共に、支持枠４にネジ孔を設け、支持枠４にネジ止め固定される。
【００１２】
図３、図４は、隙間Ａを閉塞板１２で閉塞した状態を示し、図３は図１と同様な端面図、図４はロッカーに電子機器を収納してケーブルを配線した使用状態を示した要部斜視図である。図に示すように、閉塞板１２は略四角形に形成され、隙間Ａを完全に閉塞する密閉板１２ａと、ケーブルを挿通可能な切り欠き１３を設けた引き出し板１２ｂとで構成され、双方を適宜用いて隙間Ａを閉塞している。この閉塞板１２は、枠部３に、隙間Ａに沿って等間隔にネジ孔を設け、このネジ孔にネジ止めすることで装着されている。尚、図４において、１１はケーブル、１４はロッカーの底板に形成されたケーブル引き込み用の開口部である。
【００１３】
開口部１４からロッカー内に引き込まれたケーブル１１は、隙間Ａからケーブル収容部Ｂに引き込まれ収容される。そして、接続する電子機器６の側部に設けた閉塞板（引き出し板１２ｂ）１２の切り欠き１３を介して、ケーブル収容部Ｂに収容されたケーブル１１は隙間Ａから引き出されて、電子機器６に接続されている。このとき、ケーブル１１の余長分はケーブル収容部Ｂに収容される。尚、ケーブル１１を引き出すことのない部位の隙間は切り欠きのない閉塞板（密閉板２ａ）１２で閉塞される。
【００１４】
このように、電子機器の左右前方に配置される枠部の内部空間にケーブルを収容するので、ケーブルが機器前面で引き回されて電子機器の操作が妨げられるようなことがなくなる。また、隙間を上下に亘り設けることで、ケーブルは収納機器の左右から最短距離でスムーズに引き出しすることができ、電子機器に接続されたケーブルを結束部材により結束する必要も無くなる。
更に、枠部を利用するので、別途ケーブル収容部を設けることなく、ロッカー内空間を有効に利用してケーブルの収容ができる。
また、ケーブルの挿通に使用しない隙間は閉塞板で閉塞することで、収容したケーブルが飛び出したり露出することがないし、閉塞板によりケーブル引き出し位置を固定できるので、結束部材を用いることなくケーブルを固定でき、美観も向上する。
また、閉塞板にケーブル引き出し用の切り欠きを設けることで、隙間を全て閉塞することができ、更に美観が向上する。
【００１５】
尚、上記実施形態の閉塞板は、切り欠き１３を側辺に設けているが、図５（ａ）に示す閉塞板１２ｃのように上辺に形成しても良い。また、完全に閉塞する密閉板１２ａと切り欠きを設けた引き出し板１２ｂの２種類を組み合わせて構成しているが、図５（ｂ）に示す閉塞板１２ｄのように、縦長に形成して切り欠き１３を側辺の適宜位置に設けて、隙間Ａ全体を１枚の閉塞板で一気に閉塞するようにしても良く、収納する電子機器の特徴に合わせて選択するとよい。
また、上記実施形態は、枠部３及び支持枠４を矩形に折り曲げて形成しているが、枠部３は内部にケーブルを収納可能な空間を有するよう折り曲げてあれば良いし、支持枠４は、電子機器を支持可能な強度があれば良く、断面コ字状である必要はない。
また、ラックマウント型の電子機器を収納するロッカーについて説明しているが、棚に載置するような据置タイプの電子機器の収納に対しても本発明のケーブル収容構造は適用できる。この場合、連結板５に代えて載置板を左右の支持枠の間に設置すればよい。
【００１６】
【発明の効果】
以上詳述したように、本発明によれば、電子機器の左右前方に配置される枠部の内部空間にケーブルを収容するので、ケーブルが機器前面で引き回されて電子機器の操作が妨げられるようなことがなくなる。また、隙間を上下に亘り設けることで、ケーブルは収納機器の左右から最短距離でスムーズに引き出しすることが可能となり、電子機器に接続されたケーブルを結束部材により結束する必要も無くなる。
更に、枠部を利用することで別途ケーブル収容部を設けることなく、ロッカー内空間を有効に利用してケーブルの収容ができる。
【図面の簡単な説明】
【図１】本発明の電子機器収納用ロッカーの一例を示す横端面図である。
【図２】図１の電子機器収納用ロッカーの要部分解図である。
【図３】図１の電子機器収納用ロッカーのケーブル収容部を閉塞した横端面図である。
【図４】図３の要部斜視図である。
【図５】閉塞板の他の形状を示す電子機器収納用ロッカーの要部斜視図である。
【図６】従来の電子機器収納用ロッカーの横端面図である。
【符号の説明】
１・・側板、３・・枠部、４・・支持枠、５・・連結板、６・・電子機器、１１・・ケーブル、１２，１２ａ〜１２ｄ・・閉塞板、１３・・切り欠き。
【図１】
2004349656.tif 000003
【図２】
2004349656.tif 000004
【図３】
2004349656.tif 000005
【図４】
2004349656.tif 000006
【図５】
2004349656.tif 000007
【図６】
2004349656.tif 000008